(57)【要約】【課題】幅狭のスライド収納庫に適用でき、構造が簡単で安価であり、スライド収納庫の幅寸法の違いにも対応でき、部品の共通化にも寄与するスライドレールの着脱装置を提供する。【解決手段】スライドレールの着脱装置１は、スライドレール７の可動レール２７に形成された係合穴部４３に入り込んで係合する係合爪４７と、回動支点９５を中心に係合爪４７を所定の角度回動させて係合爪４７の係合状態を解除する操作レバー１０３と、係合解除方向Ｊに回動した係合爪４７を係合方向Ｋに戻すように回動付勢する弾性片１０５とを一体に備える単一部品によって構成されるレールキャッチ４５を有している。また可動レール２７を案内保持するレールガイド７５と、種々のスライド収納庫５を取り付けることができる取付底板７１とが設けられている。【選択図】        図１１
2006167268.tif 000002
【特許請求の範囲】
【請求項１】
スライド収納庫をスライドレールに接続して一体化させると共に、接続を解除してスライドレールからスライド収納庫を取り外すことのできるスライドレールの着脱装置において、スライドレールの着脱装置には、スライドレールの可動レールに形成された係合穴部に入り込んで係合する係合爪と、回動支点を中心に係合爪を所定の角度回動させて係合爪の係合状態を解除する操作レバーと、係合解除方向に回動した係合爪を係合方向に戻すように回動付勢する弾性片とを一体に備える単一部品によって構成されるレールキャッチが設けられていることを特徴とするスライドレールの着脱装置。
【請求項２】
請求項１に記載したスライドレールの着脱装置において、前記レールキャッチは、間口方向左右に配されるスライドレールに対応して左右一対、対称に設けられており、それぞれのレールキャッチの操作レバーを外側に拡げることによって係合爪を内側に移動させて係合爪の係合状態を解除するようにしたことを特徴とするスライドレールの着脱装置。
【請求項３】
請求項１または２に記載したスライドレールの着脱装置において、スライドレールの着脱装置には前記レールキャッチに加えて、レールキャッチが係合解除状態にある時は、スライドレールにおける可動レールの移動を案内し、レールキャッチが係合状態にある時は、レールキャッチと共にスライドレールとの接続状態を確保するレールガイドが設けられており、レールガイドは剛性材料によって形成されており、座板と、座板の外側端縁を上方に立ち上げて形成され、可動レールの外側外側面を広範囲に亘って案内する外側ガイドリブと、レールキャッチが取り付けられる側における座板の内側端縁の一部を上方に立ち上げて形成され、可動レールの内側内側面を部分的に案内すると共に可動レールの前側端面に当接することでレールキャッチと共に可動レールとの接続状態を確保する内側ガイド片とを有していることを特徴とするスライドレールの着脱装置。
【請求項４】
請求項３に記載したスライドレールの着脱装置において、前記レールキャッチにおける弾性片の自由端側の端部には、前記レールガイドにおける内側ガイド片を被覆し、直接可動レールの内側内側面と摺接するガイドキャップが設けられていることを特徴とするスライドレールの着脱装置。
【請求項５】
請求項３または４に記載したスライドレールの着脱装置において、前記レールガイドは、間口方向左右に配されるスライドレールに対応して左右一対、対称に設けられており、それぞれのレールガイドにおける座板の前端部及び後端部には、間口方向及び奥行方向に所定にピッチずつずらした複数個の取付位置調整穴が設けられていることを特徴とするスライドレールの着脱装置。
【請求項６】
請求項１〜５のいずれか１項に記載したスライドレールの着脱装置において、スライドレールの着脱装置には、前記レールキャッチに加えて、種々のスライド収納庫を取り付けることができる取付底板が設けられていることを特徴とするスライドレールの着脱装置。
【請求項７】
請求項６に記載したスライドレールの着脱装置において、前記取付底板には、前記レールガイドの座板に設けられている複数個の取付位置調整穴に対応した複数個の取付受け穴と、前記レールキャッチにおける回動支点の間口方向左右への所定ピッチの移動を可能にする可動長穴とが設けられており、このうち取付受け穴は、レールガイドを間口方向左右に対称移動させることによって複数個の取付位置調整穴のうち対応する１つの取付位置調整穴とのみ一致するように配設されていることを特徴とするスライドレールの着脱装置。
【発明の詳細な説明】
【技術分野】
【０００１】
本発明は、例えばシステムキッチン等においてキャビネットにスライド式の計量米びつや収納ラック等のスライド収納庫を取り付ける場合にスライドレールと共に使用されるスライドレールの着脱装置に関するものであって、特に間口が広く取れない部位に設けられる幅狭のスライド収納庫を取り付ける場合に好適なスライドレールの着脱装置に係る。
【背景技術】
【０００２】
システムキッチンにおいては、流し台、レンジ台及び各種の収納庫等が一体に納められたキャビネットが据え付けられている。このうちレンジ台はレイアウトの関係でキャビネットの左端側あるいは右端側に配置される場合が多い。
この場合、レンジ台に載置されるガスレンジ等の加熱調理器は部屋の壁面から１５０ｍｍ以上離すことが消防法の規定によって定められている。従ってレンジ台の外方には間口１５０ｍｍ程度の幅狭な空きスペースが形成されることになる。
【０００３】
上記空きスペースも収納空間として使用されており、例えば前面に片開きタイプの開き扉を設け、内部に棚を設けて、据付固定式の収納ボックスとして使用したり、スライド式の計量米びつや収納ラック等のスライド収納庫を配置したりして上記キャビネットの空きスペースの有効利用が図られていた。
【０００４】
しかしながら、スライド収納庫の幅寸法はキャビネットの空きスペースの間口寸法が１５０ｍｍ、そしてキャビネットの側板や仕切板の板厚寸法を差し引くと、板厚の違い等によって１１９ｍｍ、１１４ｍｍ、１０９ｍｍと極めて幅狭であるため、従来は比較的簡単な構造のスライドレールしか使用できなかった。
このスライドレールはスチール家具の引出し等において広く使用されている汎用タイプのスライドレールであり、スライド動作時にゴトゴトと比較的大きな動作音を発するため、システムキッチンの高級感を損ねる問題がある
しかしながら、市販の消音設計タイプのスライドレールは、上記空きスペースの間口寸法等の制約があるため、その実現は困難とされていた。
【０００５】
即ち、市販のスライドレールの着脱装置が元々幅狭のスライド収納庫への適用を想定したものではなく、左右一対設けられるスライドレールの着脱装置を２個並設しただけで、上記空きスペースに対応したスライド収納庫の幅寸法を超えてしまう。
更に左右に位置するそれぞれの操作レバーの可動方向が内側であり、省力化を得るためにてこ比を大きく取って大きな可動ストロークを必要とする構造としたことから使用に必要な間口寸法は上記スライド収納庫の幅寸法を大きく上回ってしまうことになる。
【０００６】
この他、上記市販のスライドレールの着脱装置は数多くの部品が組み合わさった複雑な構造を有しているため、比較的高価である問題もある。
また上記市販のスライドレールの着脱装置には幅調整機能が備えられていないため、上述のようにキャビネットの側板や仕切板の板厚の違いによって生ずる１１９ｍｍ、１１４ｍｍ、１０９ｍｍのスライド収納庫の幅寸法の違いに対応できることはできない。
【発明の開示】
【発明が解決しようとする課題】
【０００７】
本発明は、上記の背景技術及び背景技術が抱えていた問題点の存在を踏まえてなされたものであって、幅狭のスライド収納庫に対して消音設計のスライドレールを使用できるようにし、構造が簡単で安価であり、スライド収納庫の幅寸法の違いにも対応でき、部品の共通化を通じてスライド収納庫の製品コストの削減にも寄与するスライドレールの着脱装置を提供することを課題とするものである。
【課題を解決するための手段】
【０００８】
上記課題を解決するために請求項１に記載した発明は、スライド収納庫をスライドレールに接続して一体化させると共に、接続を解除してスライドレールからスライド収納庫を取り外すことのできるスライドレールの着脱装置において、スライドレールの着脱装置には、スライドレールの可動レールに形成された係合穴部に入り込んで係合する係合爪と、回動支点を中心に係合爪を所定の角度回動させて係合爪の係合状態を解除する操作レバーと、係合解除方向に回動した係合爪を係合方向に戻すように回動付勢する弾性片とを一体に備える単一部品によって構成されるレールキャッチが設けられていることを特徴とするスライドレールの着脱装置である。
【０００９】
請求項２に記載した発明は、請求項１に記載したスライドレールの着脱装置において、前記レールキャッチは、間口方向左右に配されるスライドレールに対応して左右一対、対称に設けられており、それぞれのレールキャッチの操作レバーを外側に拡げることによって係合爪を内側に移動させて係合爪の係合状態を解除するようにしたことを特徴とするスライドレールの着脱装置である。
【００１０】
請求項３に記載した発明は、請求項１または２に記載したスライドレールの着脱装置において、スライドレールの着脱装置には前記レールキャッチに加えて、レールキャッチが係合解除状態にある時は、スライドレールにおける可動レールの移動を案内し、レールキャッチが係合状態にある時は、レールキャッチと共にスライドレールとの接続状態を確保するレールガイドが設けられており、レールガイドは剛性材料によって形成されており、座板と、座板の外側端縁を上方に立ち上げて形成され、可動レールの外側外側面を広範囲に亘って案内する外側ガイドリブと、レールキャッチが取り付けられる側における座板の内側端縁の一部を上方に立ち上げて形成され、可動レールの内側内側面を部分的に案内すると共に可動レールの前側端面に当接することでレールキャッチと共に可動レールとの接続状態を確保する内側ガイド片とを有していることを特徴とするスライドレールの着脱装置である。
【００１１】
請求項４に記載した発明は、請求項３に記載したスライドレールの着脱装置において、前記レールキャッチにおける弾性片の自由端側の端部には、前記レールガイドにおける内側ガイド片を被覆し、直接可動レールの内側内側面と摺接するガイドキャップが設けられていることを特徴とするスライドレールの着脱装置である。
【００１２】
請求項５に記載した発明は、請求項３または４に記載したスライドレールの着脱装置において、前記レールガイドは、間口方向左右に配されるスライドレールに対応して左右一対、対称に設けられており、それぞれのレールガイドにおける座板の前端部及び後端部には、間口方向及び奥行方向に所定にピッチずつずらした複数個の取付位置調整穴が設けられていることを特徴とするスライドレールの着脱装置である。
【００１３】
請求項６に記載した発明は、請求項１〜５のいずれか１項に記載したスライドレールの着脱装置において、スライドレールの着脱装置には、前記レールキャッチに加えて、種々のスライド収納庫を取り付けることができる取付底板が設けられていることを特徴とするスライドレールの着脱装置である。
【００１４】
請求項７に記載した発明は、請求項６に記載したスライドレールの着脱装置において、前記取付底板には、前記レールガイドの座板に設けられている複数個の取付位置調整穴に対応した複数個の取付受け穴と、前記レールキャッチにおける回動支点の間口方向左右への所定ピッチの移動を可能にする可動長穴とが設けられており、このうち取付受け穴は、レールガイドを間口方向左右に対称移動させることによって複数個の取付位置調整穴のうち対応する１つの取付位置調整穴とのみ一致するように配設されていることを特徴とするスライドレールの着脱装置である。
【発明の効果】
【００１５】
本発明のスライドレールの着脱装置によれば、単一部品によって構成されるレールキャッチを設けているから、構造が簡単、コンパクトで安価なスライドレールの着脱装置を提供できるようになる。
左右のレールキャッチの操作レバーを外側に拡げる構成としたことによりスライド収納庫の幅寸法の制約を受けない外側のスペースが操作レバーの可動スペースとなるため、幅狭のスライド収納庫に対して消音設計のスライドレールを適用できるようになる。
【００１６】
またスライドレールを案内し、保持する部分には剛性材料によって形成されているレールガイドが作用するように構成したことによってレールキャッチに過度の負荷を掛けることなく、スライドレールとスライドレールの着脱装置との接続を図ることができる。
更にレールガイドに複数個の取付位置調整穴を設け、取付底板にこれらに対応する複数個の取付受け穴を設けた場合には、キャビネットの板厚の違いによって生ずるスライド収納庫の幅寸法の変化に対応できるようになり、取付底板の共通化を通じてスライド収納庫の製品コストの削減を図ることが可能となる。
【発明を実施するための最良の形態】
【００１７】
以下、下記に示す実施の形態を例にとって、本発明に係るスライドレールの着脱装置について具体的に説明する。以下の説明では、スライド収納庫の一例としてスライド式の計量米びつと収納ラックを採り上げ、これらの構成の概略を併せて説明する。
【００１８】
本実施の形態に係るスライドレールの着脱装置１は、システムキッチンにおいて流し台、レンジ台及び各種の収納庫等が一体に納められたキャビネット３に対してスライド収納庫５を設置する場合にスライドレール７と共に使用される。
具体的にはスライド収納庫５をスライドレール７に接続して一体化させると共に、接続を解除してスライドレール７からスライド収納庫５を取り外す場合に使用される。
【００１９】
図１に示すようにキャビネット３の左右の何れかの端部寄りにレンジ台が配置されており、レンジ台外方のキャビネット３の空きスペース９を利用して、空きスペース９に収容できる幅狭のスライド収納庫５を設置する場合を例にとって説明する。
空きスペース９のキャビネット３の板厚を含めた間口寸法Ａは、上述のように１５０ｍｍ程度と狭く、キャビネット３の側板１１及び仕切板１３の厚さを考慮すると、スライド収納庫５の幅寸法Ｂは１１９ｍｍ、１１４ｍｍ、１０９ｍｍの３種類にほぼ限定される。
【００２０】
空きスペース９は側板１１、仕切板１３、背板１５、天板１７及び底板１９によって区画された幅狭で高さ方向と奥行方向の寸法の大きな偏平角箱状の空間である。また空きスペース９の前面は、スライド収納庫５の前面に位置する化粧パネル２１によって被覆されるようになっている。
空きスペース９の間口方向左右に位置する側板１１と仕切板１３の内壁面の上部には、奥行方向に向けて平行に延びる一例として断面コの字状のガイド部材２３が設けられている。また空きスペース９の底板１９の上面には、間口方向左右に２基設けられるスライドレール７の固定レール２５が取り付けられている。
【００２１】
スライドレール７はキャビネット３に対して取り付けられる固定レール２５と、後述する本発明のスライドレールの着脱装置１に接続される可動レール２７と、固定レール２５と可動レール２７との間に介在される中間レール２９と、これらの間に介在されるローラスライダ３１とによって構成されている。
固定レール２５は断面略凹字状の部材で外側板３３は端部を９０°内側に折り曲げた内側板３５に比べてかなり高めに形成されている。固定レール２５には、キャビネット３の側板１１ないし仕切板１３の内壁面に対してビス止めするための多数の取付穴３７が形成されている。また固定レール２５の底面板３９は、空きスペース９の底板１９上に載置される部分であり、適宜の係合構造あるいはビス止め等によって底板１９に固定される。
【００２２】
可動レール２７は、門型断面をした部材で、前面側の端部には幅方向の中間付近の位置から下方に向けて垂直に折り曲げられた奥行方向に延びる係合片４１が設けられている。
係合片４１には角穴状の係合穴部４３が設けられていて後述するレールキャッチ４５の係合爪４７が入り込むことによって可動レール２７とスライドレールの着脱装置１との一体化が図られる。
【００２３】
中間レール２９は可動レール２７の内側に配置される可動レール２７より一回り小さな門型断面をした部材であり、この中間レール２９の存在によってスライド収納庫５を完全にキャビネット３の手前側に引き出すことのできる、いわゆるフルオープンスライドを可能にしている。
ローラスライダ３１は保持具４９に複数個のローラベアリング５１を保持させたもので、精密なローラベアリング５１をコロとして利用することでスライド動作時の動作音が殆どしない消音設計のスライドレール７としている。
【００２４】
スライド収納庫５として本実施の形態ではスライド式の計量米びつ５３を採用している。図示の計量米びつ５３は一例として本体５５の幅寸法Ｗが１００ｍｍ、奥行寸法Ｄが４８０ｍｍ、高さ寸法Ｈが５０７ｍｍである。
本体５５は、上面及び底面が開放された角筒状のケーシング５７と、ケーシング５７の開放された上面を覆う上蓋５９と、ケーシング５７の内部に設けられ被収納物である米Ｒを収納するホッパ６１と、ホッパ６１の取出口下方に設けられる計量升６３と、ケーシング５７の左右の側面を一部凹陥して設けられる計量レバー６５とを有している。
更に、本体５５は、計量レバー６５の動きを計量升６３に伝える図示しない駆動伝達機構と、計量升６３の下方に設けられ、ケーシング５７の左右の側面から引き出して取り出すことのできる取出し容器６７とを有している。
【００２５】
またケーシング５７の下端縁６９はケーシング５７の開放された底面内側に向けて９０°折り曲げられていて、この下端縁６９に設けられる図示しない係合穴やビス止め用の下穴を利用して後述する取付底板７１と接続される。
この他、ケーシング５７の前面には前記化粧パネル２１が取り付けられる他、上蓋５９の左右の側部前方寄りにガイド部材７３が設けられている。このガイド部材７３は、空きスペース９の側板１１及び仕切板１３に設けられているガイド部材２３と同様、一例として断面コの字状をした部材で、格納状態近辺においてガイド部材２３の上面に当接しガイド作用をなす。
【００２６】
そしてこのようなスライド収納庫５をスライドレール７に対して接続する場合に使用されるスライドレールの着脱装置１は、スライド収納庫５の底面に取り付けられる取付底板７１と、取付底板７１の底面に取り付けられる２本のレールガイド７５と、取付底板７１の前端面に取り付けられる左右一対、対称に設けられるレールキャッチ４５と、取付底板７１の後端側に取り付けられるレールガイド７５の後端部固定用の固定プレート７７とを備えている。
【００２７】
取付底板７１はスライド収納庫５の本体５５の開放された底面を覆う部材で、本体５５の骨格を形作っている枠部材や上蓋５９、あるいは取出し容器６７と同様、ポリスチレン等のプラスチック成形材料によって形成されている浅底のトレイ状の部材である。
取付底板７１の幅寸法と奥行寸法は本体５５の幅寸法Ｗと奥行寸法Ｄとほぼ同一であり、高さ寸法は一例として２５ｍｍ程度に設定されている。尚この取付底板７１は図１〜３に示す計量米びつ５３に限らず、後述する図１０に示す収納ラック２０１等、同一の外形寸法及び接合構造を有する各種のスライド収納庫５に対応できる。
【００２８】
取付底板７１の上縁はフランジ状に外側に向けて張り出すように形成されており、側方に張り出したフランジ部７９の上面には一例として６個の鉤状をした係合フック８１が上方に向けて立ち上げられている。
この係合フック８１は、上述したスライド収納庫５のケーシング５７底面の下端縁６９に設けられている図示しない係合穴と係合し係合状態を形成する。
また前後に張り出したフランジ部７９の中央には、ビス止め用のビス穴８３が形成されており、ケーシング５７底面の下端縁６９に設けられている図示しない下穴とを貫通する固定ビス８５によってスライド収納庫５と取付底板７１は接続され一体化される。
【００２９】
取付底板７１の底面には、レールガイド７５の座板８７に形成されている前端部と後端部に３個ずつ計６個の取付位置調整穴８９に対応した前端側左右に対称に３個ずつ６個、後端側左右に対称に３個ずつ６個、計１２個の取付受け穴９１が設けられている。
この取付受け穴９１はレールガイド７５を間口方向左右に対称移動させることによって各部３つの取付位置調整穴８９のうち対応する１つの取付位置調整穴８９とのみ一致するように配設されている。
取付底板７１の底面には、前端側に位置する３つの取付受け穴９１の近傍に間口方向に延びる可動長穴９３が左右に１個ずつ２個設けられている。この可動長穴９３は後述するレールキャッチ４５における回動支点９５の間口方向左右への所定ピッチの移動を可能にするために設けられている。
【００３０】
レールガイド７５は、剛性材料、例えば金属製材料によって形成されており、長尺平板状の座板８７と、座板８７の外側端縁を上方に立ち上げて形成される外側ガイドリブ９７と、レールキャッチ４５を取り付ける取付底板７１の前端側における座板８７の内側端縁の一部を上方に立ち上げて形成される内側ガイド片９９とを備えている。
座板８７の前端部と後端部は段差状に折り曲げられていて、折り曲げられた前端部には３つの取付位置調整穴８９と、回動支点９５となる支点ネジＮの雄ネジ部と螺合する雌ネジが刻設されたネジ穴１０１とが設けられている。
【００３１】
一方、座板８７の後端部には３つの取付位置調整穴８９のみが設けられており、３つずつ設けられる取付位置調整穴８９は、前端部と後端部とで奥行方向のピッチは異なるが間口方向のピッチは等しくなるように設定されている。
また取付底板７１に対して設けられる取付受け穴９１との関係では、取付位置調整穴８９と取付受け穴９１の奥行方向のピッチは等しく、間口方向のピッチのみが異なるように設定されている。
【００３２】
このように取付位置調整穴８９のピッチと取付受け穴９１のピッチを設定することによってレールガイド７５の前後誤装着が防止される。更に、レールガイド７５を間口方向にスライドさせると、１つの取付位置調整穴８９に対して必ず１つの取付受け穴９１が一致する。これにより、左右に設けられる２つのレールガイド７５の間隔がキャビネット３の側板１１と仕切板１３の板厚の違いによる３段階の変化に対応できる。
【００３３】
外側ガイドリブ９７は、レールキャッチ４５が係合解除状態にある時にスライドレール７における可動レール２７の移動を案内する部材である。そして可動レール２７の外側外側面を広範囲に亘って案内できるように長尺のガイドリブとなっている。
内側ガイド片９９は図示のような短寸のフック状をした部材で、レールキャッチ４５が係合解除状態にある時は可動レール２７の内側内側面に摺接し、内側内側面を部分的に案内している。またレールキャッチ４５が係合状態にある時は可動レール２７の前側端面に当接することでレールキャッチ４５と共にスライドレール７における可動レール２７との接続状態を確保する。
【００３４】
レールキャッチ４５は、スライドレール７の可動レール２７に形成された係合穴部４３に入り込んで係合する係合爪４７と、回動支点９５を中心に係合爪４７を所定の角度回動させて係合爪４７の係合状態を解除する操作レバー１０３とを備えている。更に、レールキャッチ４５は、係合解除方向Ｊに回動した係合爪４７を係合方向Ｋに戻すように回動付勢する弾性片１０５と、弾性片１０５の自由端側の端部に設けられ、上記レールガイド７５における内側ガイド片９９を被覆するガイドキャップ１０７とを備えている。
【００３５】
またレールキャッチ４５は一例としてコポリマータイプのポリアセタール樹脂であるＰＯＭ（ポリオキシメチレン）によって一体成形された単一部品によって構成されている。
レールキャッチ４５は間口方向左右に配される２本のスライドレール７に対応して左右一対、対称に設けられている。そして、それぞれのレールキャッチ４５の操作レバー１０３を外側に拡げることによって係合爪４７を内側に移動させて係合爪４７の係合状態を解除できる。
【００３６】
係合爪４７は、回動支点９５から奥行方向後方に直線的に延びる幅広で剛性を有する主幹部１０９の先端に設けられる楔状をした部分であり、頂点Ｐから外方手前側に向けて案内傾斜面１１１が形成されていて案内傾斜面１１１の端部に段差状の鉤部１１３を有している。
回動支点９５から外方には主幹部１０９に対してほぼ直角に延びる同じく幅広で剛性を有する支幹部１１５が設けられていて、その先端に操作レバー１０３が設けられている。操作レバー１０３は指が掛け易いように高さ寸法を大きくした略平板状の部材で、支幹部１１５と同様剛性を有している。
【００３７】
回動支点９５の近傍の主幹部１０９の内側にはＵ字状に湾曲した後、奥行方向後方に向けて直線的に延びる幅狭で弾性変形可能な弾性片１０５が設けられている。
弾性片１０５の自由端側の端部には矩形平板状をしており、内部に内側ガイド片９９を収容し得る肉薄の偏平矩形空間が形成されたガイドキャップ１０７が設けられている。
回動支点９５には支点ネジＮを取り付けるための取付穴１１７が形成されている。この取付穴１１７の内径は支点ネジＮの雄ネジ部の外径より幾分大きめになっていて、レールキャッチ４５は支点ネジＮによって規制を受けることなく回動支点９５を中心に自由に回動できる。
【００３８】
固定プレート７７はレールガイド７５と同様、金属製の平板材料によって形成されており、取付底板７１の上面側後端部に宛がわれ、取付底板７１における座板８７を挟むようにしてレールガイド７５との間でビス止めされる。
固定プレート７７には取付底板７１の後端部に形成されている取付受け穴９１と同一ピッチ、同一個数の固定受け穴１１９が設けられている。そしてレールガイド７５に設けられている取付位置調整穴８９と取付底板７１に設けられている取付受け穴９１と同様、１つの固定受け穴１１９が選択され、対応する取付位置調整穴８９と取付受け穴９１と共にビス止めされ一体化される。
【００３９】
次に、このスライドレールの着脱装置１を使用して取付底板７１をスライドレール７における可動レール２７に取り付ける場合と、可動レール２７から取付底板７１を取り外す場合とに分けてスライドレールの着脱装置１の操作手順を説明する。
（１）取付底板を取り付ける場合（図９、１０参照）
図９に示すようにレールガイド７５をスライドレール７の可動レール２７に合わせて上方から被せ、レールガイド７５に案内させて取付底板７１を奥部側に向けて押し込む。
取付底板７１を最後まで押し込む直前の段階に至ると、レールキャッチ４５における係合爪４７の案内傾斜面１１１が可動レール２７の係合片４１の前端に当接する。レールキャッチ４５は弾性片１０５の係合方向Ｋへの付勢力に抗して係合解除方向Ｊへ回動支点９５を中心にして回動するようになり、係合爪４７は内側に向けて移動する。
【００４０】
係合爪４７の案内傾斜面１１１の終端に至ると、係合爪４７の鉤部１１３が係合片４１の内壁面に当接し摺接する。更に取付底板７１が押し込まれることによって図１０に示すように係合爪４７は係合片４１の係合穴部４３に入り込み、鉤部１１３によって取付底板７１の引抜き方向の移動が制限される。
また同時にレールガイド７５の内側ガイド片９９とレールキャッチ４５におけるガイドキャップ１０７が可動レール２７の内側板と上面板との間に入り込み可動レール２７における前側端面の一部がレールガイド７５の内側ガイド片９９の対向する端面に当接することによって取付底板７１のそれ以上の押込み方向への移動が制限される。
【００４１】
これにより取付底板７１と可動レール２７との接続状態が完了し、スライドレール７の可動レール２７とスライドレールの着脱装置１の取付底板７１との一体化が図られる。
そして、可動レール２７に接続された取付底板７１を手前に引き出し、その上方にスライド収納庫５を載置して両者を接続すればスライド収納庫５は図１に示すようにキャビネット３に対してスライド自在にいっぱいまで引き出すことができ、キャビネット３内に完全に格納できる。
【００４２】
（２）取付底板を取り外す場合（図１１参照）
取付底板７１を取り外す場合には、図１１に示すように取付底板７１の下に両手の指（例えば親指あるいは人差し指と中指）を入れ、内側から外方に向けて操作レバー１０３を押し広げる。
左右のレールキャッチ４５は回動支点９５を中心にして弾性片１０５による係合方向Ｋへの付勢力に抗して係合解除方向Ｊへ回動するようになり、係合爪４７の鉤部１１３が係合片４１の係合穴部４３から外れて係合解除状態となる。
そして、この係合解除状態を保って操作レバー１０３を指で摘んで手前に引っ張ると、レールガイド７５によって案内されながら取付底板７１は可動レール２７から切り離された状態でキャビネット３外に引き抜かれる。
【００４３】
以上、本発明を実施するための最良の形態である実施の形態１について詳述してきたが、具体的な構成は上述した構成に限られるものではなく、本発明の要旨を逸脱しない範囲内における設計の変更などがあっても本発明に含まれる。
例えば、スライド収納庫５は図１〜３に示すようなスライド式の計量米びつ５３に限らず、種々の構造のスライド式の収納庫が適用可能である。図１２はスライド収納庫５としてスライド式の収納ラック２０１を適用したものを示している。この収納ラック２０１は、フレーム２０３と、フレーム２０３に取り付ける２種類のバスケット２０５及びＳ字状の吊下げフック２０７とを形成し備えている。そして、収納ラック２０１の前面には計量米びつ５３と同様の化粧パネル２１が設けられ、収納ラック２０１の上部前面寄りのコーナー部付近の側方には前記計量米びつ５３と同様のガイド部材７３が設けられている。
【００４４】
また取付底板７１に対するレールガイド７５とレールキャッチ４５の幅調整の構成は上述の構成に限らず種々の構成が可能である。具体的には図１３（ａ）に示すようにレールガイド７５に設けた挿込み片１２１を取付底板７１に複数設けた挿込み穴１２３を適宜選択して挿し込むようにしたものであってもよいし、図１３（ｂ）に示すようにレールガイド７５の座板８７に予めナット１２５を溶接しておき、一方取付底板７１に設ける取付受け穴を可動長穴９３と同様の間口方向に延びる長穴状の取付受け長穴１２７とし、これらを固定ネジ１２９によって締結固定することでレールガイド７５の幅調整を無段階に行えるようにしたものであってもよい。
【図面の簡単な説明】
【００４５】
【図１】本発明の実施の形態１に係るスライドレールの着脱装置を使用した施工例を示す斜視図である。
【図２】本発明の実施の形態１に係るスライドレールの着脱装置を計量米びつに適用した実施の形態を示す側面図である。
【図３】本発明の実施の形態１に係るスライドレールの着脱装置を計量米びつに適用した実施の形態を示す正面図である。
【図４】同上、スライドレールの着脱装置周辺を拡大して示す正面図である。
【図５】本発明の実施の形態１に係るスライドレールの着脱装置を示す分解斜視図である。
【図６】本発明の実施の形態１に係るのスライドレールの着脱装置を示す平面図である。
【図７】本発明の実施の形態１に係るのスライドレールの着脱装置を示す側断面図である。
【図８】同上、前端部及び後端部を拡大して示す側断面図である。
【図９】スライドレールの着脱装置における取付底板を取り付ける前の状態を示す底面図である。
【図１０】スライドレールの着脱装置における取付底板を取り付けた状態を示す底面図である。
【図１１】スライドレールの着脱装置における取付底板を取り外した状態を示す底面図である。
【図１２】本発明の実施の形態１に係るスライドレールの着脱装置を収納ラックに適用した実施の形態を示す側面図である。
【図１３】レールガイド及びレールキャッチの他の幅調整の構成を示す底面図である。
【符号の説明】
【００４６】
１  スライドレールの着脱装置      ３  キャビネット
５  スライド収納庫      ７  スライドレール
９  空きスペース      １１  側板      １３  仕切板
１５  背板      １７  天板      １９  底板      ２１  化粧パネル
２３  ガイド部材      ２５  固定レール      ２７  可動レール
２９  中間レール      ３１  ローラスライダ      ３３  外側板
３５  内側板      ３７  取付穴      ３９  底面板      ４１  係合片
４３  係合穴部      ４５  レールキャッチ      ４７  係合爪
４９  保持具      ５１  ローラベアリング      ５３  計量米びつ
５５  本体      ５７  ケーシング      ５９  上蓋      ６１  ホッパ
６３  計量升      ６５  計量レバー      ６７  取出し容器
６９  下端縁      ７１  取付底板      ７３  ガイド部材
７５  レールガイド      ７７  固定プレート      ７９  フランジ部
８１  係合フック      ８３  ビス穴      ８５  固定ビス
８７  座板      ８９  取付位置調整穴      ９１  取付受け穴
９３  可動長穴      ９５  回動支点      ９７  外側ガイドリブ
９９  内側ガイド片      １０１  ネジ穴      １０３  操作レバー
１０５  弾性片      １０７  ガイドキャップ      １０９  主幹部
１１１  案内傾斜面      １１３  鉤部      １１５  支幹部
１１７  取付穴      １１９  固定受け穴      １２１  挿込み片
１２３  挿込み穴      １２５  ナット      １２７  取付受け長穴
１２９  固定ネジ      ２０１  収納ラック      ２０３  フレーム
２０５  バスケット      ２０７  吊下げフック
Ａ  （板厚を含めた）間口寸法      Ｂ  （全体の）幅寸法
Ｗ  （本体の）幅寸法      Ｄ  （本体の）奥行寸法
Ｈ  （本体の）高さ寸法      Ｒ  米      Ｎ  支点ネジ
Ｊ  係合解除方向      Ｋ  係合方向      Ｐ  頂点
【図１】
2006167268.tif 000003
【図２】
2006167268.tif 000004
【図３】
2006167268.tif 000005
【図４】
2006167268.tif 000006
【図５】
2006167268.tif 000007
【図６】
2006167268.tif 000008
【図７】
2006167268.tif 000009
【図８】
2006167268.tif 000010
【図９】
2006167268.tif 000011
【図１０】
2006167268.tif 000012
【図１１】
2006167268.tif 000013
【図１２】
2006167268.tif 000014
【図１３】
2006167268.tif 000015